(57)【要約】      （修正有）【課題】塵埃容器を掃除機本体に装着したとき、分離部を開閉する蓋体を確実に全閉させることが可能な電気掃除機を提供する。【解決手段】塵埃容器１３は、掃除機本体に対して矢印Ｉの方向に挿入されて、掃除機本体の塵埃容器室に着脱可能に装着される。塵埃容器１３の蓋体１０１は、ヒンジ１０２で回動可能に支持され、シール部材１０８に密着した状態で、留具１０３の先端の掛部１０６が塵埃容器１３に形成された受部１０５に係止されてロックされる。塵埃容器室の内壁には、集塵容器１３が矢印Ｉ方向に挿入される際に、蓋体１０１の留具１０３を押圧するリブが形成されている。従って、塵埃容器１３を掃除機本体に装着する際に、仮に蓋体１０１の掛部１０６が受部１０５に係止されていない状態であったとしても、塵埃容器室に塵埃容器１３を挿入していくに従って、留具１０３はリブによって必ず押圧される結果、掛部１０６は受部１０５に確実に係止される。【選択図】図９
2019041852.tif 000002
【特許請求の範囲】
【請求項１】
塵埃容器保持部を有する掃除機本体と、
前記塵埃容器保持部に着脱可能な塵埃容器と、
前記掃除機本体に設けられて前記掃除機本体の外面から前記塵埃容器保持部に装着された前記塵埃容器に達し、かつ前記塵埃容器の着脱時の移動方向に交差する方向へ向かって開放される前記塵埃容器保持部側の接続口を有する掃除機本体入口風路と、
前記接続口に通じる開放された底部を有し、かつ前記接続口から遠ざかるほど窄まる錐台形のフィルターと、
前記フィルターの前記底部の開口面積を減じる開閉可能な蓋体と、
前記蓋体を開閉可能に支持するヒンジと、
前記蓋体を閉じた状態で保持する留具と、
前記塵埃容器保持部に設けられ、前記塵埃容器が前記塵埃容器保持部に装着される過程で前記蓋体および前記留具の少なくともいずれか一方に接触して前記蓋体を閉じ、かつ前記留具を留める蓋体閉鎖部と、を備える電気掃除機。
【請求項２】
前記塵埃容器を前記塵埃容器保持部に装着する際の移動方向において、前記ヒンジは前記留具よりも先行するよう配置されている請求項１に記載の電気掃除機。
【請求項３】
前記留具は、前記塵埃容器側に設けられる受部と、前記蓋体側に設けられ、かつ前記受部に引っ掛かって前記蓋体を閉じた状態に保持する掛部と、を有し、
前記掛部は、前記留具のうち前記ヒンジから最も遠い部位に配置されている請求項１または２に記載の電気掃除機。
【請求項４】
前記留具は、前記蓋体から延び、かつ先端部に前記掛部が設けられる板体部を備える請求項３に記載の電気掃除機。
【請求項５】
前記フィルターの前記底部の吸込口の開口方向は、前記塵埃容器を前記塵埃容器保持部に装着する際の移動方向に向かって傾いている請求項１から４のいずれか１項に記載の電気掃除機。
【請求項６】
前記蓋体閉鎖部は、前記塵埃容器が前記塵埃容器保持部に装着される方向へ移動するほど、前記蓋体を全閉位置へ強く押し込む請求項１から５のいずれか１項に記載の電気掃除機。
【請求項７】
前記塵埃容器保持部は、前記塵埃容器全体を収容可能である請求項１から６のいずれか１項に記載の電気掃除機。
【発明の詳細な説明】
【技術分野】
【０００１】
本発明に係る実施形態は、電気掃除機に関する。
【背景技術】
【０００２】
掃除機本体に着脱可能な塵埃容器を備える電気掃除機が知られている。従来の電気掃除機は、塵埃容器の蓋を開閉することによって塵埃容器に蓄積された塵埃を廃棄することができる。
【先行技術文献】
【特許文献】
【０００３】
【特許文献１】特開２０１７−６０５９０号公報
【発明の概要】
【発明が解決しようとする課題】
【０００４】
ところで、空気の流れの上流側から下流側へ向かって窄まる錐台形のフィルターを有する分離部を備える電気掃除機が知られている。錐台形のフィルターの小径側の底部は開放されている。錐台形のフィルターの大径側の底部の一部は塞がれ、残部（実質的に大径側の底部の中央部）は開放されている。ここで、錐台形のフィルターの大径側の開口を「フィルターの吸込口」と呼び、小径側の開口を「フィルターの吐出口」と呼ぶ。
【０００５】
この種のフィルターを有する分離部は、錐台形の側面に相当するフィルター面、および吐出口に負圧を作用させる一方、吸込口から塵埃を含んだ空気を吸い込む。分離部に吸い込まれる空気には塵埃が含まれている。分離部に吸い込まれる塵埃の大部分は、吸込口から吐出口へ直進して分離部から流れ出る。分離部に吸い込まれる空気の一部は、フィルターの吸込口から吐出口へ直進して分離部から流れ出る。分離部に吸い込まれる空気の残部は、フィルター面から流れ出る。
【０００６】
そして、塵埃の一部は、フィルター面から流れ出る空気に流されてフィルター面の内面に付着する。このような塵埃は、分離部内に残留して徐々に蓄積される。
【０００７】
そこで、この種の分離部は、大径側の底部を全開可能な蓋構造を備えていることが好ましい。この蓋は、フィルターの大径側の底部の一部を塞ぎ、残部を開放する状態で全閉する。また、蓋を開くことによって、分離部の内部が清掃可能になる。
【０００８】
このような分離部の蓋は、分離部の保守を可能にする一方、塵埃容器を掃除機本体に装着した際に、仮に閉じきっていなかった場合には、蓋とフィルターとの間に隙間を生じる。この蓋とフィルターとの隙間は、分離部から塵埃を含む空気を漏洩させる。仮に分離部から塵埃を含む空気が漏れ出せば、電気掃除機の吸い込み仕事率を低下させるのみならず、塵埃を周囲にまき散らせてしまう。
【０００９】
そこで、本発明は、塵埃容器を掃除機本体に装着したとき、分離部を開閉する蓋体を確実に全閉させることが可能な電気掃除機を提供することを目的とする。
【課題を解決するための手段】
【００１０】
前記の課題を解決するため本発明の実施形態に係る電気掃除機は、塵埃容器保持部を有する掃除機本体と、前記塵埃容器保持部に着脱可能な塵埃容器と、前記掃除機本体に設けられて前記掃除機本体の外面から前記塵埃容器保持部に装着された前記塵埃容器に達し、かつ前記塵埃容器の着脱時の移動方向に交差する方向へ向かって開放される前記塵埃容器保持部側の接続口を有する掃除機本体入口風路と、前記接続口に通じる開放された底部を有し、かつ前記接続口から遠ざかるほど窄まる錐台形のフィルターと、前記フィルターの前記底部の開口面積を減じる開閉可能な蓋体と、前記蓋体を開閉可能に支持するヒンジと、前記蓋体を閉じた状態で保持する留具と、前記塵埃容器保持部に設けられ、前記塵埃容器が前記塵埃容器保持部に装着される過程で前記蓋体および前記留具の少なくともいずれか一方に接触して前記蓋体を閉じ、かつ前記留具を留める蓋体閉鎖部と、を備えている。
【図面の簡単な説明】
【００１１】
【図１】本発明の実施形態に係る電気掃除機を示す斜視図。
【図２】本発明の実施形態に係る電気掃除装置の掃除機本体の平断面図。
【図３】本発明の実施形態に係る電気掃除装置の掃除機本体の縦断面図。
【図４】本発明の実施形態に係る電気掃除機の一次塵埃容器の斜視図。
【図５】本発明の実施形態に係る電気掃除機の一次塵埃容器の側面図。
【図６】本発明の実施形態に係る電気掃除機の一次塵埃容器の断面図。
【図７】本発明の実施形態に係る電気掃除機の一次塵埃容器の部分的な斜視図。
【図８】本発明の実施形態に係る電気掃除機の第一分離部の側面図。
【図９】本発明の実施形態に係る電気掃除機の断面図。
【図１０】本発明の実施形態に係る電気掃除機の蓋体強制閉鎖機構の斜視図。
【図１１】本発明の実施形態に係る電気掃除機の蓋体強制閉鎖機構の断面図。
【発明を実施するための形態】
【００１２】
本発明に係る電気掃除機の実施形態について図１から図１１を参照して説明する。なお、複数の図面中、同一または相当する構成には同一の符号が付されている。
【００１３】
図１は、本発明の実施形態に係る電気掃除機を示す斜視図である。
【００１４】
図１および図２に示すように、本実施形態に係る電気掃除機１は、所謂コードレスタイプである。電気掃除機１は、所謂キャニスタ型であるが、これに限られず、アップライト型、スティック型、またはハンディ型であってもよい。
【００１５】
使用者は、居室の被掃除面で電気掃除機１を走行させ、または電気掃除機１を手に持って移動して、被掃除面を掃除する。
【００１６】
電気掃除機１は、被掃除面を走行可能な掃除機本体７と、掃除機本体７に着脱自在な管部８と、を備えている。管部８は、掃除機本体７に流体的に接続されている。管部８は、掃除機本体７に接続されて塵埃を吸い込む風路体である。
【００１７】
掃除機本体７は、本体ケース１１と、本体ケース１１の左右それぞれの側部に設けられる一対の車輪１２と、本体ケース１１に着脱可能に装着される塵埃容器１３と、本体把手１４と、本体ケース１１に収容される電動送風機１５と、主に電動送風機１５を制御する制御部１６と、電動送風機１５に供給される電力を蓄える二次電池１７と、を備えている。
【００１８】
掃除機本体７は、二次電池１７が蓄える電力で電動送風機１５を駆動させる。掃除機本体７は、電動送風機１５が発生させる負圧を管部８に作用させる。電気掃除機１は、管部８を通じて被掃除面から塵埃を含む空気（以下、「含塵空気」と呼ぶ。）を吸い込む。電気掃除機１は、吸い込んだ含塵空気から塵埃を分離する。電気掃除機１は、分離後の塵埃を捕集し、蓄積する一方、塵埃を分離した後の清浄な空気を排気する。
【００１９】
本体ケース１１の正面部分には、掃除機本体７の吸込口に相当する本体接続口１８が設けられている。本体接続口１８は、管部８を着脱可能な継手である。本体接続口１８は、管部８と塵埃容器１３とを流体的に接続している。本体接続口１８は、本体ケース１１の正面に向かって開口している。
【００２０】
なお、本実施形態に係る掃除機本体７は、本体ケース１１の正面を進行方向へ向けた姿勢、換言すると本体接続口１８を進行方向へ向けた姿勢で使用される。掃除機本体７は、使用者が手に持つ管部８に引っ張られて車輪１２を中心に俯仰することがある。
【００２１】
車輪１２は、掃除機本体７を走行可能に支えている。
【００２２】
塵埃容器１３は、電気掃除機１に吸い込まれる塵埃を蓄積する。塵埃容器１３は、掃除機本体７に流れ込む含塵空気から塵埃を分離し、捕集し、蓄積する一方で、塵埃が除去された清浄な空気を電動送風機１５へ送る。
【００２３】
本体把手１４は、掃除機本体７を持ち運ぶときに使用される。本体把手１４は、本体ケース１１の幅方向に、アーチ状に架け渡されている。
【００２４】
電動送風機１５は、塵埃容器１３から空気を吸い込んで負圧（吸込負圧）を発生させる。
【００２５】
制御部１６は、マイクロプロセッサ（図示省略）、およびマイクロプロセッサが実行する各種演算プログラム、パラメータなどを記憶する記憶装置（図示省略）を備えている。記憶装置は、予め設定される複数の運転モードに関連する種々の設定（引数）を記憶している。複数の運転モードは電動送風機１５の出力に関連付けられている。それぞれの運転モードには、相互に異なる入力値（電動送風機１５の入力値、電動送風機１５に流れる電流値）が設定されている。それぞれの運転モードは、管部８が受け付ける操作入力に関連付けられている。制御部１６は、管部８への操作入力に対応する任意の運転モードを、予め設定される複数の運転モードから択一的に選択し、選択した運転モードの設定を記憶部から読み出し、読み出した運転モードの設定にしたがって電動送風機１５を運転する。
【００２６】
二次電池１７は、電動送風機１５、および制御部１６に電力を供給する。二次電池１７は、掃除機本体７に設けられる一対の充電電極（図示省略）に電気的に接続されている。
【００２７】
管部８は、掃除機本体７から作用する負圧によって、被掃除面から含塵空気を吸い込み掃除機本体７へ導く。管部８は、掃除機本体７に着脱可能な継手としての接続管２１と、接続管２１に流体的に接続される集塵ホース２２と、集塵ホース２２に流体的に接続される手元操作管２３と、手元操作管２３から突出する把持部２５と、把持部２５に設けられる操作部２６と、手元操作管２３に着脱可能に連結される延長管２７と、延長管２７に着脱可能に連結される吸込口体２８と、を備えている。
【００２８】
接続管２１は、本体接続口１８を通じて塵埃容器１３に流体的に接続される。
【００２９】
集塵ホース２２は、長尺で可撓な略円筒形状のホースである。集塵ホース２２の一方の端部（ここでは、後方の端部）は、接続管２１に流体的に接続されている。集塵ホース２２は、接続管２１を通じて塵埃容器１３に流体的に接続されている。
【００３０】
手元操作管２３は、集塵ホース２２と延長管２７とを繋いでいる。手元操作管２３の一方の端部（ここでは、後方の端部）は、集塵ホース２２の他方の端部（ここでは、前方の端部）に流体的に接続されている。手元操作管２３は、集塵ホース２２および接続管２１を通じて塵埃容器１３に流体的に接続されている。換言すると、接続管２１は、集塵ホース２２を掃除機本体７に接続する継手部である。
【００３１】
把持部２５は、電気掃除機１を操作するために使用者が手で把持する部分である。把持部２５は、使用者が手で容易に把持できる適宜の形状で手元操作管２３から突出している。
【００３２】
操作部２６は、それぞれの運転モードに対応付けられるスイッチを備えている。例えば、操作部２６は、電動送風機１５の運転停止操作に対応付けられる停止スイッチ２６ａと、電動送風機１５の運転開始操作に対応付けられる起動スイッチ２６ｂと、吸込口体２８への電源供給に対応付けられるブラシスイッチ２６ｃと、を備えている。停止スイッチ２６ａおよび起動スイッチ２６ｂは、制御部１６に電気的に接続されている。電気掃除機１の使用者は、操作部２６を操作して電動送風機１５の運転モードを択一的に選択できる。起動スイッチ２６ｂは、電動送風機１５の運転中に、運転モードの選択スイッチとしても機能する。制御部１６は、起動スイッチ２６ｂから操作信号を受け取る度に運転モードを強→中→弱→強→中→弱→………の順に切り換える。なお、操作部２６は、起動スイッチ２６ｂに代えて、強運転スイッチ（図示省略）、中運転スイッチ（図示省略）、および弱運転スイッチ（図示省略）を個別に備えていても良い。
【００３３】
複数の筒体を重ね合わせたテレスコピック構造の延長管２７は、伸縮可能である。延長管２７の一方の端部（ここでは、後方の端部）は、手元操作管２３の他方の端部（ここでは、前方の端部）に着脱可能な継手を備えている。延長管２７は、手元操作管２３、集塵ホース２２および接続管２１を通じて塵埃容器１３に流体的に接続されている。
【００３４】
吸込口体２８は、木床やカーペットなどの被掃除面を走行可能または滑走可能であり、走行状態または滑走状態において被掃除面に対面する底面に吸込口３１を有する。また、吸込口体２８は、吸込口３１に配置される回転可能な回転清掃体３２と、回転清掃体３２を駆動させる電動機３３と、を備えている。吸込口体２８の一方の端部（ここでは、後方の端部）は、延長管２７の他方の端部（ここでは、前方の端部）に着脱可能な継手を備えている。吸込口体２８は、延長管２７、手元操作管２３、集塵ホース２２および接続管２１を通じて塵埃容器１３に流体的に接続されている。つまり、吸込口体２８、延長管２７、手元操作管２３、集塵ホース２２、接続管２１、および塵埃容器１３は、吸込口３１から電動送風機１５へ至る吸込風路である。電動機３３は、ブラシスイッチ２６ｃから操作信号を受け取る度に運転開始と停止とを交互に繰り返す。
【００３５】
電気掃除機１は、起動スイッチ２６ｂが操作されると電動送風機１５を始動させる。例えば、電気掃除機１は、電動送風機１５が停止している状態で起動スイッチ２６ｂが操作されると、先ず電動送風機１５を強運転モードで始動させ、再び起動スイッチ２６ｂが操作されると電動送風機１５の運転モードを中運転モードに変更し、三度、起動スイッチ２６ｂが操作されると電動送風機１５の運転モードを弱運転モードに変更し、以下同様に繰り返す。強運転モード、中運転モード、および弱運転モードは、予め設定される複数の運転モードである。強運転モードに設定される入力値（電動送風機１５に対する入力値）が最も大きく、弱運転モードに設定される入力値が最も小さい。始動した電動送風機１５は、塵埃容器１３から空気を吸込み、塵埃容器１３内を負圧にする。
【００３６】
塵埃容器１３内の負圧は、本体接続口１８、接続管２１、集塵ホース２２、手元操作管２３、延長管２７、および吸込口体２８を順次に通じて吸込口３１に作用する。電気掃除機１は、吸込口３１に作用する負圧によって、被掃除面の塵埃を空気とともに吸い込む。塵埃容器１３は、吸い込まれた含塵空気から塵埃を分離し、捕集し、蓄積する一方で、含塵空気から分離した空気を電動送風機１５へ送る。電動送風機１５は、塵埃容器１３から吸い込んだ空気を掃除機本体７外へ排気する。
【００３７】
次に、本実施形態に係る電気掃除機１の掃除機本体７について詳細に説明する。
【００３８】
図２は、本発明の実施形態に係る電気掃除装置の掃除機本体の平断面図である。
【００３９】
図３は、本発明の実施形態に係る電気掃除装置の掃除機本体の縦断面図である。
【００４０】
なお、図２には、管部８の接続管２１が掃除機本体７から取り外された状態が示されている。図３には、接続管２１が掃除機本体７に取り付けられた状態が示されている。
【００４１】
図２および図３に示すように、本発明の実施形態に係る電気掃除機１の掃除機本体７は、本体ケース１１の幅方向に横臥させた筒形の後半部と、平面視において前方に向けて弧状に膨出する前半部と、を有する本体ケース１１を備えている。本体ケース１１の背面は、側面視において円弧形を有している。
【００４２】
本体接続口１８は、本体ケース１１の幅方向の実質的な中央、かつ高さ方向の実質的な中央を通る線（以下、中心線Ｃと呼ぶ。）に沿って延び、塵埃容器１３に達している。図２および図３は、この中心線Ｃを通る断面図である。
【００４３】
本体接続口１８に接続される接続管２１は、把手３５を備えている。把手３５は、本体把手１４から見て掃除機本体７の反対側（裏面側）に配置されている。換言すると、本体把手１４は、把手３５から見て掃除機本体７の反対側（表面側）に配置されている。
【００４４】
それぞれの車輪１２は、本体ケース１１の筒形の後半部の左右それぞれの端部に配置されている。また、それぞれの車輪１２は、本体ケース１１の筒形の後半部に同心状に配置されている。車輪１２の直径は、本体ケース１１の上下方向の寸法、つまり高さ（筒形の後半部の直径に相当する）よりも大きい。また、掃除機本体７の側面視、つまり車輪１２の回転中心線方向視において、車輪１２は、本体ケース１１の背面を覆い隠す。そのため、掃除機本体７は、本体ケース１１の上下（表裏）を反転した状態であっても、本体ケース１１の上下を反転させる過程であっても、車輪１２を被掃除面に接地させることができる。本体ケース１１は、背面を被掃除面に干渉させることなく、車輪１２の回転中心線を中心に本体ケース１１の上下（表裏）を反転させることができる。掃除機本体７には、表側を上方に向けた掃除機本体７を車輪１２とともに支える走行輪としての補助輪１２ａが設けられている。接続管２１には、裏側を上方に向けた掃除機本体７を車輪１２とともに支える走行輪としての補助輪１２ｂが設けられている。
【００４５】
補助輪１２ｂは、把手３５に設けられている。補助輪１２ｂと把手３５との間には、衝撃を緩衝するサスペンション機構３６が設けられている。
【００４６】
なお、掃除機本体７の上下（表裏）の区別は、説明の便宜のためにある。電気掃除機１は、表側を上方へ向けていても、裏側を上方へ向けていても同様に掃除に使用することができる。
【００４７】
ここで、把手３５のある側を被掃除面に向けて使用する使用姿勢を第一使用姿勢と呼び、把手３５から見て反対側、つまり本体把手１４を被掃除面に向けて使用する使用姿勢を第二使用姿勢と呼ぶ。一対の車輪１２は、第一使用姿勢、および第二使用姿勢のいずれもで掃除機本体７を被掃除面に支える。換言すると、一対の車輪１２は、掃除機本体７を車輪１２の回転中心線まわりのどちらの方向へ倒していても、掃除機本体７を走行可能に支える。
【００４８】
二次電池１７は、車輪１２の回転中心線を挟んで本体接続口１８の反対側、つまり本体ケース１１の後端中央部に配置されている。つまり、二次電池１７は、本体ケース１１の筒形の後半部に収容されている。二次電池１７は、本体ケース１１の形状に倣って配置されている。つまり、二次電池１７は、筒形の後半部の内面に倣って配置される円筒形の複数の素電池１７ａを有している。
【００４９】
二次電池１７は、一対の車輪１２の回転中心線を実質的な中心とする円弧形を有している。二次電池１７の円弧形の中心は、一対の車輪１２の回転中心線に直交する面において本体ケース１１の中心線Ｃに直交する方向、つまり本体ケース１１の高さ方向の寸法の中央部、具体的には実質的に半分の位置に配置されている。
【００５０】
ここで、本体ケース１１の筒形の後半部の中心線、および車輪１２の回転中心線は、実質的に同一線上にある。この線を中心とする、本体ケース１１の筒形の後半部の内側を領域Ａと呼ぶ。車輪１２は、領域Ａを避けている。つまり、車輪１２は、領域Ａよりも大きい内径を有する円環形を有している。また、一対の車輪１２は、領域Ａを間に挟んでいる。
【００５１】
塵埃容器１３および電動送風機１５は、領域Ａ内に配置され、かつ本体ケース１１の幅方向に並べられている。塵埃容器１３は、領域Ａのうち中央部から一方の車輪１２（例えば掃除機本体７の右側の車輪１２）に達する領域Ａ１に配置されている。電動送風機１５は、領域Ａのうち他方の車輪１２（例えば掃除機本体７の左側の車輪１２）に偏倚する領域Ａ２に配置されている。
【００５２】
二次電池１７も、領域Ａ内に配置されている。
【００５３】
本体ケース１１は、塵埃容器保持部としての塵埃容器室４７と、電動送風機１５を収容する電動送風機室４８と、を有している。塵埃容器室４７は、領域Ａ１を占めている。電動送風機室４８は、領域Ａ２を占めている。
【００５４】
本体接続口１８は、掃除機本体７の入口風路である。本体接続口１８は、掃除機本体７に設けられて掃除機本体７の外面から塵埃容器室４７に装着された塵埃容器１３に達している。また、本体接続口１８は、塵埃容器１３の着脱時の移動方向に交差する方向へ向かって開放される塵埃容器室４７側の接続口１８ａを有している。具体的には、塵埃容器１３は、本体ケース１１の中心線Ｃに直交する方向であって、掃除機本体７の幅方向（左右方向、車輪１２の回転中心線に沿う方向）へ移動して着脱される一方、本体接続口１８の接続口１８ａは、実質的に本体ケース１１の中心線Ｃの方向へ開いている。
【００５５】
電動送風機１５は、電動送風機室４８に収容されている。電動送風機１５の吸込口は、塵埃容器室４７に向けられている。
【００５６】
塵埃容器室４７は、塵埃容器１３を着脱可能に保持する。塵埃容器室４７は、塵埃容器１３の形状に準じる筒形の塵埃容器配置空間を区画している。つまり、塵埃容器室４７を区画する本体ケース１１の壁面は、塵埃容器配置空間を囲む壁面である。塵埃容器室４７は、本体ケース１１の側方へ向かって開放されている。換言すると、塵埃容器室４７は、本体ケース１１の側面に配置される塵埃容器挿抜口４７ａを有している。塵埃容器挿抜口４７ａの開口径は、環状の車輪１２の内径よりも小さい。塵埃容器挿抜口４７ａは、掃除機本体７の側面視において、環状の車輪１２の内側に配置されている。
【００５７】
なお、塵埃容器室４７は、塵埃容器１３を露出させる適宜の開口を有していても良い。塵埃容器室４７は、塵埃容器１３の全体を収容するものに限らず、塵埃容器１３の一部を収容するものであっても良い。つまり、塵埃容器配置空間は、塵埃容器挿抜口４７ａ以外の開口を通じて本体ケース１１の外側に通じていても良い。塵埃容器挿抜口４７ａは、塵埃容器１３の端面に連接していなくても良い。
【００５８】
塵埃容器１３は、大まかには円筒形である。塵埃容器１３は、車輪１２の内径よりも小さい外径を有する筒形の外観を有している。塵埃容器１３は、塵埃容器室４７に収容可能であり、かつ挿抜可能である。塵埃容器１３は、塵埃容器挿抜口４７ａを通じて塵埃容器室４７に挿抜される。つまり、塵埃容器１３は、掃除機本体７の幅方向に挿抜される。これによって、塵埃容器１３は、掃除機本体７に着脱される。
【００５９】
把手３５は、使用者が把持可能な太さと、掃除機本体７の前後方向へ延びる長さと、を有している。把手３５は、実質的に本体接続口１８の中心線、または掃除機本体７の中心線Ｃに平行に延びている。
【００６０】
塵埃容器室４７には、塵埃容器室４７に収容された塵埃容器１３を塵埃容器室４７の外へ押し出す力を発生させる押出力発生部４９と、塵埃容器室４７に収容される塵埃容器１３の移動を案内する容器補助転５０と、が設けられている。
【００６１】
押出力発生部４９は、塵埃容器室４７が区画する塵埃容器配置空間に配置された塵埃容器１３を塵埃容器配置空間から押し出す力を発生させている。押出力発生部４９は、いわゆるプッシュロッドである。押出力発生部４９は、塵埃容器１３に接するロッド部４９ａと、ロッド部４９ａに塵埃容器１３を塵埃容器室４７の外へ押し出す力を作用させるコイルばね４９ｂと、を備えている。押出力発生部４９は、塵埃容器１３に設けられていても良い。
【００６２】
容器補助転５０は、塵埃容器１３の外面の適宜の箇所に接して本体ケース１１に挿抜される塵埃容器１３の移動を補助する。容器補助転５０は、塵埃容器１３を部分的に挟み込むように、複数設けられている。容器補助転５０は、塵埃容器１３に設けられていても良い。
【００６３】
容器補助転５０は、本体ケース１１の内部、つまり塵埃容器室４７内に回転可能に設けられている。複数の容器補助転５０は、塵埃容器１３の移動方向、つまり塵埃容器室４７への挿抜方向に交差する方向において、塵埃容器１３を挟んで対向する対を複数含んでいる。塵埃容器１３は、容器補助転５０によって案内され、掃除機本体７から円滑に出し入れされ、換言すると、塵埃容器室４７から円滑に挿抜される。複数の容器補助転５０は、塵埃容器１３の径方向において対向する対を含む。そのため、塵埃容器１３は、掃除機本体７から取り出す際に塵埃容器１３が挿抜方向に対して傾いて塵埃容器室４７に引っ掛かってしまうことが抑止される。
【００６４】
なお、塵埃容器１３は、詳しくは円筒形を部分的に切り欠いた形状部を有している。この塵埃容器１３の切欠き形状部を挟むように容器補助転５０を設けることもできる。本実施形態に係る容器補助転５０は、風路５６ａ、５６ｂを区画する壁を挟み込む位置に設けられている。
【００６５】
電気掃除機１は、塵埃容器室４７に収容された塵埃容器１３を着脱自在に固定する容器ロック機構５１を備えている。容器ロック機構５１は、押出力発生部４９によって押し出される塵埃容器１３の移動方向とは異なる方向へ移動可能な複数の爪部５２と、複数の爪部５２のそれぞれを引っ掛ける複数の爪受け部５３と、を備えている。
【００６６】
複数の爪部５２は、塵埃容器１３に設けられている。複数の爪受け部５３は、本体ケース１１に設けられている。爪受け部５３は、凹没している。なお、複数の爪部５２が本体ケース１１に設けられ、複数の爪受け部５３が塵埃容器１３に設けられていても良い。換言すると、複数の爪部５２は、本体ケース１１および塵埃容器１３のいずれか一方に設けられていれば良く、複数の爪受け部５３は、本体ケース１１および塵埃容器１３のいずれか他方に設けられていれば良い。
【００６７】
次に、塵埃容器１３について説明する。
【００６８】
図４は、本発明の実施形態に係る電気掃除機の一次塵埃容器の斜視図である。
【００６９】
図５は、本発明の実施形態に係る電気掃除機の一次塵埃容器の側面図である。
【００７０】
図６は、図５のＶＩ−ＶＩ線における本発明の実施形態に係る電気掃除機の一次塵埃容器の断面図である。
【００７１】
図２および図３に加え、図４から図６に示すように、本実施形態に係る電気掃除機１の塵埃容器１３は、電気掃除機１に吸い込まれる塵埃を蓄積する。塵埃容器１３は、電動送風機１５が発生させる負圧によって吸い込まれる、塵埃を含んだ空気から塵埃を分離する分離部５４と、分離部５４で分離された塵埃を蓄積する集塵部５５と、集塵部５５から流出する空気を電動送風機１５へ導く連絡風路５６と、脚５７と、を備えている。
【００７２】
分離部５４は、本体接続口１８に接続されている。分離部５４は、塵埃を含む空気を直進させて塵埃および空気に作用する慣性力の差で空気から塵埃のうち比較的重い塵埃を分離させる第一分離部５８と、第一分離部５８を通過する比較的軽い塵埃を含む空気から塵埃を分離させる第二分離部としてのフィルター部５９と、を備えている。
【００７３】
集塵部５５は、分離部５４および連絡風路５６に併設されている。集塵部５５は、分離部５４で分離される塵埃のうち比較的重い塵埃を蓄積する粗塵集塵室６１と、フィルター部５９を収容するフィルター室６２と、を備えている。
【００７４】
なお、第一分離部５８で分離される比較的重い塵埃を、粗塵と呼ぶ。つまり、第一分離部５８は、電気掃除機１に吸い込まれる、塵埃を含んだ空気から粗い塵埃を分離する。粗塵集塵室６１は、第一分離部５８で分離された粗い塵埃を蓄積する第一集塵室である。フィルター部５９で分離される比較的軽い塵埃を、細塵と呼ぶ。つまり、フィルター部５９は、第一分離部５８を通過する空気から細かい塵埃を分離する。フィルター室６２は、フィルター部５９で分離された細かい塵埃を蓄積する第二集塵室である。粗塵集塵室６１、およびフィルター室６２を一括して集塵室６３と呼ぶ。
【００７５】
本体接続口１８から塵埃容器１３に流れ込む含塵空気は、第一分離部５８で粗塵とそれ以外（細塵を含んだ空気）とに分離される。分離された粗塵は、粗塵集塵室６１に蓄積される。第一分離部５８で分離された細塵を含む空気は、フィルター室６２に流れ込む。粗塵集塵室６１に流れ込んだ空気も、フィルター室６２に流れ込む。フィルター室６２に流れ込んだ細塵を含む空気は、フィルター部５９で細塵と空気とに分離される。分離された細塵は、フィルター部５９に捕捉され、フィルター室６２に蓄積される。フィルター部５９を通過した清浄な空気は、連絡風路５６を経て電動送風機１５に吸い込まれる。
【００７６】
第一分離部５８は、本体接続口１８に接続されるノズル部６５と、ノズル部６５に繋がる錐台形の一次フィルター部６６と、を備えている。
【００７７】
ノズル部６５は、塵埃容器１３の外殻に相当する容器本体６８の吸込口６８ａから容器本体６８内に延びている。
【００７８】
一次フィルター部６６は、一次フィルター枠体７１と、第一メッシュフィルタ７２と、を備えている。
【００７９】
一次フィルター枠体７１は、容器本体６８の内面に設けられている。一次フィルター枠体７１は、塵埃容器１３が本体ケース１１に装着された状態で、本体接続口１８の中心線、つまり実質的に掃除機本体７の中心線Ｃに沿ってテーパ状に延びている。大径の底部は容器本体６８の内面に接し、小径の底部は集塵部５５の粗塵集塵室６１に接続される粗塵吐出口７３を有している。大径の底部の直径は、吸込口６８ａの開口径よりも大きい。粗塵吐出口７３の中心線は、実質的に吸込口６８ａの中心線に沿い、実質的に本体接続口１８の中心線に沿っている。粗塵吐出口７３は、集塵室６３の入口に相当する。
【００８０】
第一メッシュフィルタ７２は、一次フィルター枠体７１の側面に設けられている。第一メッシュフィルタ７２の外側には、フィルター室６２に接続される中継風路７５が区画されている。
【００８１】
第一分離部５８は、第一メッシュフィルタ７２を通じて電動送風機１５に吸い込まれる空気の流れ、および粗塵吐出口７３を通じて電動送風機１５に吸い込まれる空気の流れによって負圧になる。
【００８２】
粗塵集塵室６１は、第一分離部５８で分離される、比較的重い塵埃を蓄積する。粗塵集塵室６１は、電動送風機１５に吸い込まれる空気の風路の一部である。粗塵集塵室６１は、第一分離部５８の粗塵吐出口７３に繋げられている。粗塵集塵室６１は、フィルター室６２にも繋げられている。粗塵集塵室６１は、本体接続口１８の中心線上、つまり実質的に掃除機本体７の中心線Ｃ上に配置されている。
【００８３】
また、粗塵集塵室６１とフィルター部５９が収容されるフィルター室６２との間には、複数の粗塵集塵室出口７６を有する隔壁７７が設けられている。隔壁７７は、集塵室６３の壁の一部である。隔壁７７の粗塵集塵室出口７６には、第二メッシュフィルタ７８が設けられている。粗塵集塵室６１は、塵埃を含んだ空気を第二メッシュフィルタ７８へ導く上流側風路である。
【００８４】
さらに、粗塵集塵室６１は、電動送風機１５から遠ざかる方向、換言すると、フィルター部５９に近づく方向へ拡張されている。つまり、粗塵集塵室６１は、第二メッシュフィルタ７８の近傍に風路断面積が急激に拡大する拡張部７９を有している。複数の粗塵集塵室出口７６を有する隔壁７７は、拡張部７９とフィルター室６２との間に設けられている。
【００８５】
第二メッシュフィルタ７８は、負圧によって粗塵集塵室６１に吸い込まれる、粗塵を含んだ空気から塵埃を濾過分離する。第二メッシュフィルタ７８は、粗塵が粗塵集塵室６１からフィルター室６２へ流出することを防いでいる。第二メッシュフィルタ７８は、それを通過する空気の流れによって粗塵集塵室６１に蓄積された塵埃を圧縮する。第二メッシュフィルタ７８は、第一メッシュフィルタ７２と実質的に同じ網目を有している。仮に、第一分離部５８で分離されず、粗塵集塵室６１に流れ込んだ細塵は、第二メッシュフィルタ７８を通過してフィルター室６２に流れ込み、または粗塵集塵室６１内でフィルターのように圧縮された粗塵によって捕捉される。
【００８６】
フィルター部５９は、電動送風機１５が発生させる負圧によって吸い込まれる、塵埃を含んだ空気（含塵空気）から塵埃、特に第一分離部５８を通過する細塵を濾過分離する。フィルター部５９は、対面する一対のフィルター８１、８２と、一対のフィルター８１、８２の形状を維持して支える二次フィルター枠体８３と、を備えている。
【００８７】
一対のフィルター８１、８２は、下流側の面を対面させている。それぞれのフィルター８１、８２は、塵埃容器１３に吸い込まれる、塵埃を含んだ空気から塵埃を濾過分離する。フィルター８１、８２の網の目は、第一分離部５８の第一メッシュフィルタ７２、および粗塵集塵室６１の第二メッシュフィルタ７８よりも細かい。フィルター８１、８２は、例えば不織布である。フィルター８１、８２に捕捉される細塵には、第一メッシュフィルタ７２、および第二メッシュフィルタ７８を通過可能な塵埃が含まれている。
【００８８】
フィルター８１、８２の一方（フィルタ８１）はフィルター室６２に流入する空気に直接的に晒され、フィルター８１、８２の他方（フィルタ８２）は、フィルター８１、８２の一方（フィルタ８１）を回り込んだ空気に晒される。つまり、フィルター８１は、第一分離部５８とフィルター部５９とを繋ぐ中継風路７５を臨み、かつ粗塵集塵室６１とフィルター室６２とを繋ぐ粗塵集塵室出口７６を臨んでいる。フィルター８２は、フィルター８１に隠れ、中継風路７５および粗塵集塵室出口７６から見通すことができない箇所に配置されている。
【００８９】
一対のフィルター８１、８２は、実質的に同じ広さ（間隔）、かつ同じ深さの折り目（稜線８１ａ、８２ａ）を有するプリーツフィルタである。
【００９０】
なお、中継風路７５および粗塵集塵室出口７６を臨むフィルター８１は、フィルター８２に比べて広く浅い折り目を有していても良い。フィルター８１が中継風路７５および粗塵集塵室出口７６を臨んでいるため、第一分離部５８を通過する塵埃、および粗塵集塵室６１から流出する塵埃、つまり細塵は、先ずフィルター８１に吹き掛かる。そして、フィルター８１は細塵を捕捉して徐々に目詰まりを生じる。フィルター８１が詰まるにしたがって、中継風路７５および粗塵集塵室出口７６からフィルター８１に吹き掛かる細塵は、フィルター８２へ回り込むようになる。そうすると、フィルター８２の目詰まりも始まる。つまり、フィルター８２に比べてフィルター８１の方が目詰まりし易い。換言すると、塵埃は、フィルター８２に比べてフィルター８１の方に付着し易い。したがって、フィルター８１の折り目をフィルター８２に比べて広く浅くしておくことで、より塵埃が付着しやすいフィルター８１から容易に塵埃を除去できる。
【００９１】
フィルター８１、８２は、付着した塵埃を除去しやすいように、ポリテトラフルオロエチレン（polytetrafluoroethylene、PTFE、いわゆるテフロン（登録商標））の膜を上流側の面に有するものであっても良い。また、フィルター８２に比べて目詰まりしやすいフィルター８１のみが、ポリテトラフルオロエチレンの膜を上流側の面に有するものであっても良い。
【００９２】
二次フィルター枠体８３は、一対のフィルター８１、８２を対面させ、かつ離間させて支持している。二次フィルター枠体８３、および一対のフィルター８１、８２で区画される空間は、フィルター部５９の下流側の風路に相当する。このフィルター部５９の内部空間は、連絡風路５６に繋げられている。二次フィルター枠体８３は、フィルター８１の両側に配置され、連絡風路５６に接続される二次フィルター出口８５を有している。二次フィルター出口８５は、フィルター８１、８２を通過した空気を連絡風路５６へ流出させる。
【００９３】
フィルター室６２は、粗塵集塵室６１に隣接している。フィルター室６２は、濾過分離によってフィルター部５９に捕捉される細塵を蓄積する細塵集塵室として機能する。第一メッシュフィルタ７２および第二メッシュフィルタ７８を通過する細塵は、より網目の細かい一対のフィルター８１、８２によって捕捉され、フィルター室６２に蓄積される。つまり、集塵室６３（粗塵集塵室６１、およびフィルタ室６２）は、フィルター８１、８２よりも上流側に配置されている。
【００９４】
フィルター室６２は、電動送風機１５に吸い込まれる空気の風路の一部である。フィルター室６２は、中継風路７５に繋げられている。フィルター室６２は、粗塵集塵室６１にも繋げられている。
【００９５】
連絡風路５６は、分離部５４から流出する空気を電動送風機１５へ導く複数の風路５６ａ、５６ｂである。つまり、連絡風路５６は、複数に分岐して電動送風機１５に達している。連絡風路５６は、例えば２つの風路５６ａ、５６ｂに分かれている。複数、例えば２つの風路５６ａ、５６ｂは、分離部５４へ空気を導く吸込口６８ａを間に挟んでいる。２つの風路５６ａ、５６ｂは、それぞれの風路断面積Ｓが実質的に等しい。２つの風路５６ａ、５６ｂは、電動送風機１５のファンの回転中心線を含む面について面対称な形状を有している。換言すると、複数の風路５６ａ、５６ｂは、第一メッシュフィルタ７２、第二メッシュフィルタ７８、およびフィルター部５９の中央よりも縁側に偏倚して相互に離間している。２つの風路５６ａ、５６ｂは、電動送風機１５に接続される連絡風路５６の端部で集合し、合流する。換言すると、２つの風路５６ａ、５６ｂは、連絡風路５６の集合風路５６ｃを介して電動送風機１５に接続されている。なお、連絡風路５６は、３つ以上に分岐していても良い。換言すると。連絡風路５６は、第一メッシュフィルタ７２、第二メッシュフィルタ７８、およびフィルター部５９を通過する空気を電動送風機１５へ導く複数の下流側風路である。
【００９６】
ノズル部６５から第一分離部５８へ流れ込む含塵空気のうち質量の比較的に大きい粗塵は、ノズル部６５から粗塵吐出口７３へ慣性力で直進し粗塵集塵室６１へ送られる。粗塵吐出口７３から粗塵集塵室６１に流れ込む塵埃（粗塵）は、粗塵集塵室６１に蓄積される。他方、ノズル部６５から第一分離部５８へ流れ込む含塵空気のうち質量の比較的に小さい細塵および空気は、ノズル部６５から放射状に拡がって一次フィルター枠体７１の側面に設けられる第一メッシュフィルタ７２を通過し、中継風路７５を経てフィルター室６２に流れ込む。粗塵吐出口７３から粗塵集塵室６１に流れ込む塵埃（粗塵）とともに、空気の一部も粗塵集塵室６１に流れ込む。粗塵集塵室６１に流れ込んだ空気は、第二メッシュフィルタ７８を通過し、フィルター室６２に流れ込む。第一メッシュフィルタ７２または第二メッシュフィルタ７８を通過してフィルター室６２へ流れ込む空気に含まれる細塵は、フィルター部５９で濾過分離され、一対のフィルター８１、８２の表面に捕捉される。フィルター８１、８２を通過する清浄な空気は、連絡風路５６を介して電動送風機１５に吸い込まれる。このとき、清浄な空気は、複数の風路５６ａ、５６ｂに一時的に分かれ、集合して電動送風機１５に吸い込まれる。
【００９７】
容器本体６８は、集塵室６３、つまり粗塵集塵室６１とフィルター室６２とを区画している。分離部５４のうち第一分離部５８、および連絡風路５６は、フィルター部５９と電動送風機１５との間に配置され、かつ相互に併設されている。換言すると、分離部５４、連絡風路５６、および電動送風機１５は、この順に並んでいる。
【００９８】
一対の車輪１２は、電動送風機１５、分離部５４（第一分離部５８およびフィルター部５９）、集塵部５５（粗塵集塵室６１およびフィルター室６２）、および連絡風路５６を間に挟んでいる。
【００９９】
第一分離部５８は、本体ケース１１の幅方向中央部に配置され、フィルター部５９は、本体ケースの一方の側部、例えば右側部に偏倚され、電動送風機１５は、本体ケース１１の他方の側部、例えば左側部に偏倚されている。
【０１００】
容器ロック機構５１は、塵埃容器１３が掃除機本体７の塵埃容器室４７に収容された状態において掃除機本体７の外部に露出する部分に操作部９１を備えている。操作部９１は、容器ロック機構５１の解除操作の入力部である。操作部９１は、爪部５２を爪受け部５３から離脱させる力を受け取る。
【０１０１】
脚５７は、粗塵吐出口７３から粗塵集塵室６１の拡張部７９へ延びる容器本体６８の塵埃案内面９３の外側の面に設けられている。脚５７は、塵埃案内面９３の外側の面に沿う収納位置と、塵埃容器１３を自立させる使用位置との間で揺動する。脚５７は、塵埃容器１３の把手としても利用できる。
【０１０２】
脚５７は、塵埃容器１３が塵埃容器室４７に収納された状態で押出力発生部４９が発生させる塵埃容器１３を押し出す力を受ける。脚５７と塵埃容器１３との間には、捻りばね（図示省略）が設けられている。この捻りばねは、塵埃容器１３が塵埃容器室４７から取り出され、脚５７に外力が働かなくなった状態で、脚５７を使用位置へ移動させる力を発生させている。
【０１０３】
塵埃容器１３が塵埃容器室４７に収容される過程において、脚５７は、塵埃容器室４７の内壁面に案内されて使用姿勢から収容姿勢へと揺動する。塵埃容器１３が塵埃容器室４７に収容された状態では、収容姿勢の脚５７の先端に押出力発生部４９のロッド部４９ａが接触し、塵埃容器１３に押し出す力が作用する。
【０１０４】
塵埃容器１３が塵埃容器室４７に収容された状態で容器ロック機構５１のロックが解除されると、押出力発生部４９の押し出し力によって塵埃容器１３は塵埃容器室４７から押し出される。このとき脚５７は、捻りばねのばね力によって塵埃容器室４７の内壁面に倣いながら収容姿勢から使用姿勢へと揺動する。使用姿勢の脚５７は、掃除機本体７から取り出された塵埃容器１３を自立した状態（図６で数字が読める向きに見て左端部を下にした状態）で支える。
【０１０５】
二次電池１７は、粗塵集塵室６１を囲んでいる。つまり、二次電池１７に含まれる複数の素電池１７ａは、本体ケース１１の筒形の後半部の内面に沿って配置され、粗塵集塵室６１の周囲を囲んでいる。
【０１０６】
次に、本実施形態に係る電気掃除機１の第一分離部５８について説明する。
【０１０７】
図７は、本発明の実施形態に係る電気掃除機の一次塵埃容器の部分的な斜視図である。
【０１０８】
図８は、本発明の実施形態に係る電気掃除機の第一分離部の側面図である。
【０１０９】
図９は、本発明の実施形態に係る電気掃除機の断面図である。
【０１１０】
なお、図２および図３では、説明の便宜のために第一分離部５８の蓋体１０１の開閉構造を省略している。
【０１１１】
図２、図３に加えて、図７から図９に示すように、本実施形態に係る電気掃除機１は、本体接続口１８の塵埃容器室４７側の接続口１８ａから遠ざかるほど窄まる錐台形の第一メッシュフィルタ７２と、第一メッシュフィルタ７２の大径側の底部７２ａの開口面積を減じる開閉可能な蓋体１０１と、蓋体１０１を開閉可能に支持するヒンジ１０２と、蓋体１０１を閉じた状態で保持する留具１０３と、を備えている。
【０１１２】
第一メッシュフィルタ７２は、本体接続口１８の塵埃容器室４７側の接続口１８ａに通じる、開放された底部７２ａと、集塵室６３に繋がる粗塵吐出口７３として開放された底部７２ｂと、を有している。集塵室６３側の底部７２ｂは、蓋体１０１で閉じられる底部７２ａよりも開口径が小さい。
【０１１３】
蓋体１０１は、第一メッシュフィルタ７２の大径側の底部７２ａを閉じ、または開く。蓋体１０１は、容器本体６８の吸込口６８ａを有している。換言すると、吸込口６８ａは、第一メッシュフィルタ７２の大径側の底部７２ａに配置されている。蓋体１０１は、吸込口６８ａを通じて本体接続口１８と第一分離部５８とを流体的に接続している。
【０１１４】
なお、蓋体１０１または容器本体６８には、蓋体１０１が全閉した状態で蓋体１０１と容器本体６８との間に挟み込まれるシール部材１０８が設けられている。
【０１１５】
容器本体６８の吸込口６８ａの開口縁は、塵埃容器１３を塵埃容器室４７に装着する際の移動方向（図２の実線矢印Ｉ）に向かって傾いている。また、本体接続口１８の塵埃容器室４７側の接続口１８ａの開口縁は、容器本体６８の吸込口６８ａの傾きに適合して傾いている。具体的には、吸込口６８ａの開口縁は、塵埃容器１３を塵埃容器室４７に装着する際の移動方向（図２の実線矢印Ｉ）に向かって前傾している。つまり、吸込口６８ａの開口縁は、塵埃容器室４７の奥側に達する縁から塵埃容器室４７の塵埃容器挿抜口４７ａ側（つまり塵埃容器室４７の入口側）に近い縁へ向かって塵埃容器室４７の内壁面に近づくよう突出している。他方、本体接続口１８の接続口１８ａは、塵埃容器室４７の塵埃容器挿抜口４７ａ側（つまり塵埃容器室４７の入口側）に近い縁から塵埃容器室４７の奥側の縁へ向かって塵埃容器室４７内へ突出するように傾いている。
【０１１６】
これら容器本体６８の吸込口６８ａの開口縁の傾きと本体接続口１８の接続口１８ａの開口縁の傾きとによって、塵埃容器１３を塵埃容器室４７に装着した際、吸込口６８ａと接続口１８ａとが押さえ付け合って、相互の隙間がより密に塞がれる。
【０１１７】
塵埃容器１３を塵埃容器室４７に装着する際の移動方向において、ヒンジ１０２は留具１０３よりも先行するよう配置されている。換言すると、塵埃容器１３を塵埃容器室４７に装着した状態で、ヒンジ１０２は留具１０３よりも塵埃容器室４７の奥側に配置され、留具１０３はヒンジ１０２よりも塵埃容器室４７の塵埃容器挿抜口４７ａ側（つまり塵埃容器室４７の入口側）に配置されている。ヒンジ１０２と留具１０３とは、蓋体１０１の吸込口６８ａを間に挟んでいる。
【０１１８】
留具１０３は、塵埃容器１３側に設けられる受部１０５と、蓋体１０１側に設けられ、かつ受部１０５に引っ掛かって蓋体１０１を閉じた状態に保持する掛部１０６と、を備えている。また、留具１０３は、蓋体１０１から延びる板体部１０７を備えている。
【０１１９】
受部１０５と掛部１０６とは、相互に掛かり合って蓋体１０１を閉じた状態に保持する。掛部１０６は、例えば爪やフックであって、受部１０５は、例えば溝や突起である。
【０１２０】
板体部１０７は、蓋体１０１から片持ち梁状に突出している。板体部１０７は、ヒンジ１０２から遠ざかる方向へ片持ち梁状に突出し、ヒンジ１０２から最も遠い部位に自由端部を有している。一方、板体部１０７の固定端部、つまり、蓋体１０１に連接している部位は、ヒンジ１０２に最も近い。板体部１０７は、蓋体１０１に掛部１０６を弾性的に支持している。掛部１０６は、板体部１０７が撓むことによって掛部１０６に引っ掛かり、または引っ掛かりが解除される。
【０１２１】
掛部１０６は、留具１０３のうちヒンジ１０２から最も遠い部位に配置されている。つまり、掛部１０６は、板体部１０７の自由端部（先端部）に設けられている。
【０１２２】
塵埃容器１３は、留具１０３を掛けることで蓋体１０１を閉じることができる。通常、塵埃容器１３は、蓋体１０１を閉じた状態で掃除機本体７に装着される。また、塵埃容器１３は、留具１０３の掛かりを解除することで蓋体１０１を開くことができる。蓋体１０１を開くことによって、第一分離部５８の内側、つまり錐台形の第一メッシュフィルタ７２の内側が開放されて、第一メッシュフィルタ７２のフィルター面に付着した塵埃を掃除することが可能になる。
【０１２３】
ところで、蓋体１０１の閉鎖が不完全だった場合、蓋体１０１と塵埃容器１３との間には隙間が生じる。この隙間は、第一分離部５８の内側に通じている。蓋体１０１と塵埃容器１３との間に隙間を生じたまま電動送風機１５が運転されると、この隙間から空気が流れ込んで電気掃除機１の吸込仕事率が無駄に消耗されたり、空気や塵埃が漏れ出てしまったりする。
【０１２４】
そこで、本実施形態に係る電気掃除機１は、塵埃容器１３が掃除機本体７に装着される際、塵埃容器１３の蓋体１０１を強制的に閉じる機構を備えている。
【０１２５】
図１０は、本発明の実施形態に係る電気掃除機の蓋体強制閉鎖機構の斜視図である。
【０１２６】
図１１は、本発明の実施形態に係る電気掃除機の蓋体強制閉鎖機構の断面図である。
【０１２７】
図１０および図１１に示すように、本実施形態に係る電気掃除機１は、塵埃容器１３が掃除機本体７に装着される際、塵埃容器１３の蓋体１０１を強制的に閉じる蓋体強制閉鎖機構として、蓋体閉鎖部１１１を備えている。
【０１２８】
蓋体閉鎖部１１１は、塵埃容器室４７に設けられ、塵埃容器１３が塵埃容器室４７に装着される過程で蓋体１０１および留具１０３の少なくともいずれか一方に接触して蓋体１０１を閉鎖させ、かつ留具１０３を留める。
【０１２９】
蓋体閉鎖部１１１は、本体接続口１８の塵埃容器室４７側の接続口１８ａよりも塵埃容器室４７の塵埃容器挿抜口４７ａ側（つまり塵埃容器室４７の入口側）に配置されている。蓋体閉鎖部１１１は、塵埃容器１３が塵埃容器室４７に装着される方向へ移動するほど、蓋体１０１を全閉位置へ強く押し込む。
【０１３０】
蓋体閉鎖部１１１は、例えば一対のリブ１１２である。これらリブ１１２は、蓋体１０１および留具１０３に確実に接触する範囲で離間している。リブ１１２は、塵埃容器１３が塵埃容器室４７に装着される際の移動方向（図１０の実線矢印Ｉ）、つまり、塵埃容器室４７の奥側ほど、塵埃容器室４７の内面からの突出量が大きい。蓋体閉鎖部１１１は、塵埃容器１３が掃除機本体７に装着された状態、つまり容器本体６８の吸込口６８ａが本体接続口１８の塵埃容器室４７側の接続口１８ａに接続される位置関係において、蓋体１０１および留具１０３の少なくともいずれか一方を容器本体６８へ強く押さえ付けて留具１０３の掛部１０６を受部１０５に確実に引っ掛ける。
【０１３１】
蓋体閉鎖部１１１は、蓋体１０１および留具１０３の少なくともいずれか一方に接して蓋体１０１を容器本体６８へ押さえ付ける限りにおいて、リブ状の突起に限らず、傾斜面（スロープ）、半球状の出っ張り（バンプ）であっても良い。
【０１３２】
本実施形態に係る電気掃除機１は、塵埃容器１３が塵埃容器室４７に装着される過程で蓋体１０１および留具１０３の少なくともいずれか一方に接触して蓋体１０１を閉じ、かつ留具１０３を留める蓋体閉鎖部１１１と、を備えている。そのため、電気掃除機１は、蓋体１０１を開いて第一分離部５８を手入れすることができる。また、電気掃除機１は、仮に蓋体１０１を完全に閉鎖されないまま、つまり閉じ忘れられたまま、塵埃容器１３が塵埃容器室４７に装着された場合であっても、蓋体１０１を確実に閉じ、蓋体１０１と塵埃容器室４７との隙間から空気や塵埃が漏れることがない。
【０１３３】
また、本実施形態に係る電気掃除機１は、塵埃容器１３を塵埃容器室４７に装着する際の移動方向において、留具１０３よりも先行するヒンジ１０２を備えている。そのため、電気掃除機１は、仮に意図的に蓋体１０１を開いたまま、塵埃容器１３を塵埃容器室４７に装着しても、塵埃容器１３を塵埃容器室４７に挿入する力によって蓋体１０１を塵埃容器室４７の壁面に宛がい、閉じる方向へ移動させ、かつ蓋体閉鎖部１１１で蓋体１０１を確実に閉じることができる。
【０１３４】
さらに、本実施形態に係る電気掃除機１は、蓋体１０１から延び、かつ先端部に掛部１０６を有する板体部１０７を備えている。そのため、電気掃除機１は、蓋体１０１をヒンジ１０２周りに閉じる際に、留具１０３の掛部１０６をより大きなモーメントで掛部１０６に宛がって、確実に留めることができる。
【０１３５】
さらにまた、本実施形態に係る電気掃除機１は、塵埃容器１３を塵埃容器室４７に装着する際の移動方向に向かって傾いた容器本体６８の吸込口６８ａを有している。そのため、電気掃除機１は、塵埃容器１３の着脱時の移動方向に交差する方向へ向かって開く本体接続口１８の接続口１８ａに吸込口６８ａを強く宛がって両開口を密に閉じることができる。
【０１３６】
また、本実施形態に係る電気掃除機１は、塵埃容器１３が塵埃容器室４７に装着される方向へ移動するほど、蓋体１０１を全閉位置へ強く押し込む蓋体閉鎖部１１１を備えている。そのため、電気掃除機１は、仮に蓋体１０１を完全に閉じられていないまま、つまり閉じ忘れられたまま、塵埃容器１３が塵埃容器室４７に装着された場合であっても、蓋体１０１を確実に閉じ、蓋体１０１と塵埃容器室４７との隙間から空気や塵埃が漏れることを確実に阻止できる。
【０１３７】
さらに、本実施形態に係る電気掃除機１は、塵埃容器１３全体を収容な塵埃容器室４７を備えている。つまり、電気掃除機１は、塵埃容器１３を塵埃容器室４７に収容してしまうと蓋体１０１が閉じられているか否かを掃除機本体７の外観から目視することが難しい。そのような場合であっても、電気掃除機１は、蓋体１０１を確実に閉じ、蓋体１０１と塵埃容器室４７との隙間から空気や塵埃が漏れることを確実に阻止できる。なお、電気掃除機１は、必ずしも塵埃容器１３全体を塵埃容器室４７に収容できる必要はなく、塵埃容器１３の一部が塵埃容器室４７の外側に露出していても良い。また、電気掃除機１は、蓋体１０１の一部が塵埃容器室４７の外側に露出していても良い。
【０１３８】
以上説明したように、本実施形態に係る電気掃除機１によれば、塵埃容器を掃除機本体に装着したとき、分離部を開閉する蓋体を確実に全閉させることができる。
【０１３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４０】
１…電気掃除機、７…掃除機本体、８…管部、１１…本体ケース、１２…車輪、１２ａ、１２ｂ…補助輪、１３…塵埃容器、１４…本体把手、１５…電動送風機、１６…制御部、１７…二次電池、１７ａ…素電池、１８…本体接続口、１８ａ…塵埃容器室側の接続口、２１…接続管、２２…集塵ホース、２３…手元操作管、２５…把持部、２６…操作部、２６ａ…停止スイッチ、２６ｂ…起動スイッチ、２６ｃ…ブラシスイッチ、２７…延長管、２８…吸込口体、３１…吸込口、３２…回転清掃体、３３…電動機、３５…把手、３６…サスペンション機構、４７…塵埃容器室、４７ａ…塵埃容器挿抜口、４８…電動送風機室、４９…押出力発生部、４９ａ…ロッド部、４９ｂ…コイルばね、５０…容器補助転、５１…容器ロック機構、５２…爪部、５３…爪受け部、５４…分離部、５５…集塵部、５６…連絡風路、５６ａ…風路、５６ｃ…集合風路、５７…脚、５８…第一分離部、５９…フィルター部、６１…粗塵集塵室、６２…フィルター室、６３…集塵室、６５…ノズル部、６６…一次フィルター部、６８…容器本体、６８ａ…吸込口、７１…一次フィルター枠体、７２…第一メッシュフィルタ、７２ａ…大径側の底部、７２ｂ…小径側の底部、７３…粗塵吐出口、７５…中継風路、７６…粗塵集塵室出口、７７…隔壁、７８…第二メッシュフィルタ、７９…拡張部、８１、８２…フィルター、８１ａ、８２ａ…フィルターの稜線、８３…二次フィルター枠体、８５…二次フィルター出口、９１…操作部、９３…塵埃案内面、１０１…蓋体、１０２…ヒンジ、１０３…留具、１０５…受部、１０６…掛部、１０７…板体部、１０８…シール部材、１１１…蓋体閉鎖部、１１２…リブ。
【図１】
2019041852.tif 000003
【図２】
2019041852.tif 000004
【図３】
2019041852.tif 000005
【図４】
2019041852.tif 000006
【図５】
2019041852.tif 000007
【図６】
2019041852.tif 000008
【図７】
2019041852.tif 000009
【図８】
2019041852.tif 000010
【図９】
2019041852.tif 000011
【図１０】
2019041852.tif 000012
【図１１】
2019041852.tif 000013